(57)【特許請求の範囲】
【請求項１】
ハウジングと、ハウジング内に設置された第１の自動洗濯システム及び第２の自動洗濯システムと、を備える洗濯分類機能を有する洗濯機であって、
前記第１の自動洗濯システムは第１の洗濯筒を備え、前記第２の自動洗濯システムは第２の洗濯筒を備え、
前記ハウジングは、前記第１の自動洗濯システムを収容する第１の洗濯領域と、前記第２の自動洗濯システムを収容する第２の洗濯領域とを有し、前記第１の洗濯領域と前記第２の洗濯領域とは左右方向に設置され、前記第１の自動洗濯システムの前記第１の洗濯筒の軸線と第２の自動洗濯システムの前記第２の洗濯筒の軸線とが垂直され、前記第１の自動洗濯システムと前記第２の自動洗濯システムのいずれかの一つは、ドラム式全自動洗濯システムであり、もう一つはパルセーター式全自動洗濯システムであり、前記第１の自動洗濯システムと前記第２の自動洗濯システムの給水システムと排水システムとが共通しており、前記第１の自動洗濯システムと前記第２の自動洗濯システムは、同一の制御システムを有し、前記制御システムによって、前記第１の自動洗濯システムと前記第２の自動洗濯システムが時間をずらして脱水行程を起動させるよう制御し、さらに、前記ハウジングは、それぞれ前記第１の洗濯領域と前記第２の洗濯領域に隣接するサブ機能領域を有し、前記サブ機能領域と前記第２の洗濯領域とが前後に設置され、前記サブ機能領域と前記第１の洗濯領域とが左右方向に設置され、洗濯分類機能を有する洗濯機は動作表示モジュールをさらに備え、前記動作表示モジュールは前記サブ機能領域の頂部に設置されており、
前記第２の洗濯筒に外筒蓋が設けられ、前記外筒蓋に衣類投入口と、前記衣類投入口を摺動可能に開閉する内蓋と、が設置され、前記ハウジングは開いた状態である前記内蓋を収容する収容領域を有し、前記外筒蓋に、前記内蓋の閉鎖方向に向けて上方に傾斜するように且つ前記内蓋の下面と接触するようにワイパーブレードが設置され、前記内蓋を開放する時、前記ワイパーブレードは前記内蓋の下面にある水滴を掻き取り、前記水滴を前記第２の洗濯筒の内筒内に滴下させることを特徴とする洗濯分類機能を有する洗濯機。
【請求項２】
前記第１の自動洗濯システムの軸線と第２の自動洗濯システムの軸線とが交差せずに垂直されることを特徴とする請求項１に記載の洗濯分類機能を有する洗濯機。
【請求項３】
前記第１の洗濯筒と前記第２の洗濯筒との間の最短距離は１５ｍｍ〜３０ｍｍとすることを特徴とする請求項１又は２に記載の洗濯分類機能を有する洗濯機。
【請求項４】
前記ハウジングは、左側板と、右側板と、背面板と、Ｌ字型シール板と、を備え、
前記左側板の前端は右側へ湾曲し延出して前板が形成され、前記左側板の後端は右側へ湾曲し延出して右後板が形成し、
前記右側板の後端は左側へ湾曲し延出して左後板が形成され、前記背面板は前記右後板と左後板との間に設置され、
前記Ｌ字型シール板は、前記前板と連結する前後方向の第１部と、前記右側板と連結する左右方向の第２部と、を有することを特徴とする請求項１又は２に記載の洗濯分類機能を有する洗濯機。
【発明の詳細な説明】
【技術分野】
【０００１】
本発明は、洗濯機の技術分野に属し、具体的には、洗濯分類機能を有する洗濯機に関する。
【背景技術】
【０００２】
現在、一般的に各家庭が洗濯機を持ち、洗濯機は、私たちの生活の必需品となっている。しかし、日常生活の中で、異なる種類の衣服を洗濯機の中で一緒に洗濯することができず、分類した後にそれぞれ洗濯機で洗濯する必要があり、例えば、下着と上着を分類したり、幼児と大人の衣類を分類したり、異なる色の衣類を分類したり、異なる汚れ具合の衣類を分類したり、異なる材料の衣類を分類して洗濯するなどの必要がある。より多くの衣類を洗濯する場合、分類した後に複数回洗濯すると、洗濯に時間が長くかかってしまうことになる。下着や幼児服などの小さな衣類を洗濯する場合、または少量の衣類を洗濯する場合、従来技術の大型洗濯機は、好ましい実施形態ではない。一般的に、場所をとるため、さらにもう一台の洗濯機を購入することはない。また、もし一部分の衣類を手で洗濯する場合、手間や面倒がかかり、濯ぎが不十分となることもある。
【０００３】
現在、市場での主流のドラム式洗濯機とパルセーター式洗濯機とはそれぞれ利点と欠点を有し、例えば、ドラム式洗濯機は、手で洗濯することを模擬して、洗浄度が均一で、磨耗率が低く、衣類が取り巻きにくい。パルセーター式洗濯機は、洗浄度がドラム式洗濯機より１０％高く、自然磨耗率もドラム式洗濯機より１０％高い。ドラム式洗濯機の洗濯時間が長く（１〜２時間であり）、パルセーター式洗濯機の洗濯時間が短く（４０分ぐらいであり）、また、パルセーター式洗濯機が起動した後でも随時に衣類を追加することができる。ユーザが洗濯機を購入する時、ドラム式洗濯機か、またはパルセーター式洗濯機かを選択する必要があり、例えば洗濯時間が短いことを求める場合、パルセーター式洗濯機を購入することを提案する。例えばウール類、シルク類の衣類が多い場合、ドラム式洗濯機を購入することを提案する。例えば綿類の衣類を洗濯することを主とする場合、パルセーター式洗濯機を購入することを提案する。
【発明の概要】
【発明が解決しようとする課題】
【０００４】
本発明は、洗濯分類機能を有する洗濯機を提供し、ハウジング内に第１の自動洗濯システム及び第２の自動洗濯システムが設置されたことによって、同一の洗濯機が洗濯分類機能を有することを実現することができる。
【課題を解決するための手段】
【０００５】
上記の技術的目的を達成するために、本発明は、次の技術的解決手段を用いて実現する。
【０００６】
洗濯分類機能を有する洗濯機であり、ハウジングと、ハウジング内に設置された第１の自動洗濯システム及び第２の自動洗濯システムと、を備え、前記ハウジングは、前記第１の自動洗濯システムを収容する第１の洗濯領域と、前記第２の自動洗濯システムを収容する第２の洗濯領域とを有し、前記第１の洗濯領域と前記第２の洗濯領域とは左右方向に設置され、前記第１の自動洗濯システムの軸線と前記第２の自動洗濯システムの軸線とが垂直されることを特徴とする洗濯分類機能を有する洗濯機。
【０００７】
さらに、前記第１の自動洗濯システムの軸線と第２の自動洗濯システムの軸線とが交差せずに垂直される。
【０００８】
さらに、前記第１の自動洗濯システムと前記第２の自動洗濯システムのいずれかの一つは、ドラム式全自動洗濯システムであり、もう一つはパルセーター式全自動洗濯システムであり、前記第１の自動洗濯システムと前記第２の自動洗濯システムとは給水システムと排水システムを共通する。
【０００９】
さらに、前記第１の自動洗濯システムと前記第２の自動洗濯システムは、同一の制御システムを有し、前記制御システムによって、前記第１の自動洗濯システムと前記第２の自動洗濯システムが時間をずらして脱水行程を起動させるよう制御する。
【００１０】
さらに、前記第１の自動洗濯システムの洗濯容量は前記第２の自動洗濯システムの洗濯容量より大きい。
【００１１】
さらに、前記ハウジングは、それぞれ前記第１の洗濯領域と前記第２の洗濯領域に隣接するサブ機能領域を有する。
【００１２】
さらに、前記サブ機能領域は前記第１の洗濯領域と前記第２洗濯領域に半分に囲まれる。
【００１３】
さらに、前記サブ機能領域と前記第２洗濯領域とが前後に設置されている。
【００１４】
さらに、前記サブ機能領域と前記第１洗濯領域とが左右方向に設置されている。
【００１５】
さらに、前記サブ機能領域に収納モジュールが設置されている。
【００１６】
さらに、前記サブ機能領域に健康モジュールが設置されている。
【００１７】
さらに、前記サブ機能領域に第３の自動洗濯システムが設置されている。
【００１８】
さらに、洗濯分類機能を有する洗濯機は動作表示モジュールをさらに備え、前記動作表示モジュールは前記サブ機能領域の頂部に設置される。
【００１９】
さらに、前記第１の自動洗濯システムはドラム式全自動洗濯システムであり、前記第２の自動洗濯システムはパルセーター式全自動洗濯システムである。
【００２０】
さらに、前記第１の自動洗濯システムはパルセーター式全自動洗濯システムであり、前記第２の自動洗濯システムはドラム式全自動洗濯システムである。
【００２１】
さらに、前記第１の自動洗濯システムは第１の洗濯筒を備え、前記第２の自動洗濯システムは第２の洗濯筒を備え、前記第１の洗濯筒と前記第２の洗濯筒との間の最短距離は１５ｍｍ〜３０ｍｍとする。
【００２２】
好ましくは、前記第１の洗濯筒と前記第２の洗濯筒との間の最短距離は２５ｍｍとする。
【００２３】
さらに、前記ハウジングは、左側板と、右側板と、背面板と、Ｌ字型シール板と、を備え、前記左側板の前端は右側へ湾曲し延出して前板が形成され、前記左側板の後端は右側へ湾曲し延出して右後板が形成する。前記右側板の後端は左側へ湾曲し延出して左後板が形成され、前記背面板は前記右後板と左後板との間に設置されている。前記Ｌ字型シール板は、前記前板と連結する前後方向の第１部と、前記右側板と連結する左右方向の第２部と、を有する。
【００２４】
さらに、前記ハウジングの前板と後面板との間に上部中梁が設置され、前記上部中梁の前部は前記Ｌ字型シール板の第１部の頂部に位置する。
【００２５】
さらに、前記上部中梁から前記ハウジングの左側までの距離と前記上部中梁から前記ハウジングの右側までの距離との比率は５：３〜２：１である。
【００２６】
さらに、前記上部中梁が位置する垂直面は、前記ハウジングが囲む空間を左右の二つの洗濯領域に区切り、前記第１の自動洗濯システムは左側の第１の洗濯領域に位置し、前記第２の自動洗濯システムは右側の第２の洗濯領域に位置する。
【００２７】
さらに、前記第２の自動洗濯システムは第２の洗濯筒を備え、前記第２の洗濯筒に外筒蓋が設けられ、前記外筒蓋に衣類投入口と、前記衣類投入口を摺動可能に開閉する内蓋と、が設置され、前記ハウジングは開いた状態である前記内蓋を収容する収容領域を有する。
【００２８】
さらに、前記ハウジングは、前記衣類投入口を閉鎖する閉鎖位置から前記衣類投入口を開放する位置まで水平に摺動するよう前記内蓋を収容できる収容領域を有する。
【００２９】
さらに、前記内蓋の左右両端から外方へ延出して水平方向の摺動片が形成され、前記衣類投入口の左右両側の前記外筒蓋にニ本の押圧片が設置され、前記押圧片と外筒蓋との間に前記摺動片を収容する摺動路が形成されている。
【００３０】
さらに、前記摺動片は上向きに折り曲げた縁部を有し、前記押圧片の内側は下向きに湾曲した縁部を有し、前記上向きに折り曲げた縁部は前記下向きに湾曲した縁部より外側に位置する。
【００３１】
さらに、前記押圧片は下向きに垂直したバッフル板を有し、前記上向きに折り曲げた縁部は、前記押圧片と、下向きに垂直したバッフル板と、下向きに湾曲した縁部とで囲む空間に位置する。
【００３２】
さらに、前記外筒蓋に前記押圧片を設置する複数の取付柱が設置され、隣接した前記取付柱との間にニ本の前記取付柱を連結する連結板が設置されている。
【００３３】
さらに、前記内蓋と前記外筒蓋に相互に協働する位置決め構造が設置され、前記位置決め構造は位置決め柱と係合溝である。
【００３４】
さらに、前記外筒蓋の前部に位置決め柱が設置され、前記内蓋の下面に係合溝が設置され、前記係合溝の一端に内向き湾曲した係合爪が設置され、前記係合爪の端部に外向きに湾曲した縁部が設置され、前記係合溝の他端は外方へ延出してガイド部が形成され、前記内蓋が前記衣類投入口の閉鎖位置に摺動した時、前記位置決め柱は前記係合溝に位置する。
【００３５】
さらに、前記内蓋は上向きのアーチ型構造であり、前記内蓋の周りは外方へ延出して水平のシール縁部が形成されている。
【００３６】
さらに、前記外筒蓋に受け板が設置され、前記内蓋が開放した時、前記内蓋が外筒蓋から前記受け板に摺動する。
【００３７】
さらに、前記受け板の上面と前記外筒蓋の上面とが同一の水平面にある。
【００３８】
さらに、前記外筒蓋の後部にストッパーバッフルが設置され、前記内蓋が閉鎖位置にある時、前記内蓋の後端は前記ストッパーバッフルと接触する。
【００３９】
さらに、前記外筒蓋にワイパーブレードが設置され、前記内蓋が開放する時、前記ワイパーブレードは前記内蓋の下面にある水滴を掻き取る。
【００４０】
さらに、前記ワイパーブレードの上部は前記内蓋の下面と接触する。
【００４１】
さらに、前記ワイパーブレードが前記内蓋の閉鎖方向へ傾斜し、且つ所定角度で浮き上がる。
【００４２】
好ましくは、前記ワイパーブレードと前記内筒蓋が位置する水平面によって形成された角度は、１０度〜３０度とする。
【発明の効果】
【００４３】
本発明が洗濯分類機能を有する洗濯機を提供し、ハウジング内に第１の自動洗濯システムと第２の自動洗濯システムとが設置され、一台の洗濯機が二つの自動洗濯システムを有し、同一の洗濯機が洗濯を分類する機能を有することを実現し、ユーザは、ニーズに従って１つの自動洗濯システムを起動するか、または二つの自動洗濯システムを同時に起動するかを選択することができる。前記第１の自動洗濯システムの軸線と第２の自動洗濯システムの軸線とが垂直されることによって、二つの自動洗濯システムの作動原理や取付方式が異なり、よって、洗い行程において洗い水を収容する洗濯筒の搖動方向と振幅が異なることによって、二つの洗濯筒との間の間隔距離が小さく設置される。ハウジングの受力方向と位置が異なることによって、二つの自動洗濯システムが同時に洗い時に振幅や作用力を直接に重畳することを防ぎ、ハウジングが受ける作用力が分散されることによって、ハウジングの変形を防いだ。
【図面の簡単な説明】
【００４４】
図面を併せて本発明の実施形態の詳細な記載を閲覧した後、本発明の他の特徴と利点がより明確になる。
【００４５】
【図１】本発明に係る洗濯分類機能を有する洗濯機の第一実施例の構成模式図である。
【００４６】
【図２】本発明に係る洗濯分類機能を有する洗濯機の第二実施例の構成模式図である。
【００４７】
【図３】図２の他の状態の構成模式図である。
【００４８】
【図４】図１のハウジングの構成模式図である。
【００４９】
【図５】図４のＡ領域の拡大構成模式図である。
【００５０】
【図６】図４の左側板の拡大構成模式図である。
【００５１】
【図７】図８の右側板の拡大構成模式図である。
【００５２】
【図８】図４のＬ字型シール板の拡大構成模式図である。
【００５３】
【図９】図２の第２の自動洗濯システムの部分的分解の構成模式図である。
【００５４】
【図１０】図９のＤ領域の拡大構成模式図である。
【００５５】
【図１１】図９の外筒蓋の拡大構成模式図である。
【００５６】
【図１２】図１１の取付後の構造簡略平面図である。
【００５７】
【図１３】図１２のＥ−Ｅ方向の構造簡略断面図である。
【００５８】
【図１４】図１３のＦ領域の拡大構成模式図である。
【００５９】
【図１５】図１１の外筒蓋の位置決め箇所の構造簡略断面図である。
【００６０】
【図１６】図１５のＧ領域の拡大構成模式図である。
【００６１】
【図１７】図１１の部分的構成模式図である。
【００６２】
【図１８】図１７のＨ領域の拡大構成模式図である。
【００６３】
【図１９】図１７のＩ−Ｉ方向の構造簡略断面図である。
【００６４】
【図２０】図１９のＫ領域の拡大構成模式図である。
【００６５】
【図２１】図１１の微動スイッチの箇所の局部的拡大構成模式図である。
【００６６】
【図２２】図２１のＬ領域の拡大構成模式図である。
【発明を実施するための形態】
【００６７】
本発明の実施例の目的、技術的解決手段及び利点をより明確するために、次に本発明の実施例の図面を併せて本発明の実施例の技術的解決手段を明白に、詳細に説明する。
【００６８】
本発明の記載では、言及すべきなのは、用語「上」、「下」、「左」、「右」、「前」、「後」などは、図面に示す方向や位置関係に基づいて、方向または位置関係を示し、本発明の説明を容易、かつ簡便にするのに用いるが、装置や部品が必ず特定方向となることや、特定構成及び操作を表示や暗示することではない。従って、本発明を限定するものと解釈されない。また、用語「第１」、「第２」は、説明の目的を示すのに用いて、相対的な重要度を表示や暗示すると理解されない。
【００６９】
図１に示すように、本発明に係る洗濯分類機能を有する洗濯機の一実施例であり、洗濯分類機能を有する洗濯機は、ハウジング１と、ハウジング１に設置された第１の自動洗濯システム２及び第２の自動洗濯システム３と、を備え、ユーザがニーズに従って衣類を分類して洗濯でき、エネルギーを節約でき、衛生的である。また、異なる種類の衣類を二つの洗濯システムで同時に洗濯でき、ユーザの洗濯時間を節約した。
【００７０】
第１の自動洗濯システム２の軸線と第２の自動洗濯システム３の軸線とが左右方向に設置され、第１の自動洗濯システム２の軸線と第２の自動洗濯システム３の軸線とが垂直され、つまり、一つの自動洗濯システムの軸線は水平面に位置し、例えばドラム式洗濯システムであり、もう一つの自動洗濯システム軸線は垂直面に位置し、例えばパルセーター式洗濯システムである。自動洗濯システムの軸線が水平面に位置し、及び自動洗濯システムの軸線が垂直面に位置し、それらの作動原理や取付方式が異なる。よって、洗い行程において洗い水を収容する洗濯筒の搖動方向と振幅が異なることによって、二つの洗濯筒が相互に衝突することを防ぎ、二つの洗濯筒との間の距離が小さく設置される。ハウジングの受力方向と受力位置が異なることによって、二つの自動洗濯システムが同時に洗い時に振幅や作用力を直接に重畳することを防ぎ、ハウジングが受ける作用力が分散されることによって、ハウジングの変形を防いだ。
【００７１】
本実施例では、第１の自動洗濯システム２の軸線と第２の自動洗濯システム３の軸線とが交差せずに垂直され、または非同一の平面に垂直されている。
【００７２】
説明した実施例では、洗濯分類機能を有する洗濯機の部品を減少させるために、第１自動洗濯システム２と第２自動洗濯システム３とは給水システムと排水システムを共通する。共通の給水システムと排水システムが設置されることによって、分離洗濯機の部品を減少し、ハウジング１内の空間を節約し、材料のコストを低減する。
【００７３】
説明した実施例では、自動洗濯システムが脱水行程を起動する時に外筒の揺動が大きく、二つの自動洗濯システムは同時に搖動が大きい時に衝突することを防ぐために、自動洗濯システムの洗濯分類機能を有する洗濯機は、第１自動洗濯システム２と第２自動洗濯システム３を制御する同一の制御システムを有し、制御システムは、第１自動洗濯システム２と第２自動洗濯システム３が同時に脱水行程を起動させないよう制御する。ユーザは第１の自動洗濯システム２と第２の自動洗濯システム３を同時に選択する時、例えば、第１の自動洗濯システム２と第２の自動洗濯システム３は同時に脱水行程に到達する場合、制御システムは、その中の一つの自動洗濯システムが脱水行程を起動させ、２〜３秒後にもう一つの自動洗濯システムが脱水行程を再起動するよう制御し、このように、脱水行程を同時に起動しないことによって、二つの外筒の搖動ピーク値をずらす。もう一つの自動洗濯システムが２〜３秒遅れた後に脱水行程を起動するので、ユーザは２〜３秒の遅れをほとんど感じなく、ユーザの製品への満足度に影響を与えない。
【００７４】
本実施例では、第１の自動洗濯システム２はドラム式全自動洗濯システムであり、第２の自動洗濯システム３はパルセーター式全自動洗濯システムである。第１の自動洗濯システム２は洗い水を収容する第１の洗濯筒を有し、第２の自動洗濯システム３は洗い水を収容する第２の洗濯筒を有する。自動洗濯システムは、洗い行程、特に脱水行程において、洗濯筒が揺動するので、第１の洗濯筒と第２の洗濯筒との間は十分な間隔距離を有しなければならなく、第１の自動洗濯システム２及び／又は第２の自動洗濯システム３は作動過程において、第１の洗濯筒と第２の洗濯筒とが相互にぶつかって、磨耗または損傷になることを防ぐ。本実施例では、第１の洗濯筒と第２の洗濯筒との間の最小距離が１５〜３０ｍｍとすることを選択し、好ましくは、第１の洗濯筒と第２の洗濯筒との間の最小距離が２５ｍｍとする。勿論、第１の洗濯筒と第２の洗濯筒との間の最小距離がこのような小さな値を選択することができるのは、自動洗濯システムの作動行程において設置された外筒の安定性、及び二つの外筒の搖動ピーク値をずらす制御方法によって実現された。
【００７５】
図２〜図２０に示すように、本発明の洗濯分類機能を有する洗濯機の第２実施例であり、本実施例と第１実施例との主な相違点は、本実施例では、第１の自動洗濯システム２はドラム式全自動洗濯システムであり、第２の自動洗濯システム３はパルセーター式全自動洗濯システムであることにあり、その他は第１実施例と同じの設置を用いることができる。
【００７６】
洗濯分類機能を有する洗濯機はハウジング１と、ハウジング１内に設置された第１の自動洗濯システム２及び第２の自動洗濯システム３と、を備える。ハウジングは、第１の自動洗濯システム２を収容する第１の洗濯領域４と、第２の自動洗濯システム３を収容する第２の洗濯領域５とを有し、第１の洗濯領域４と第２の洗濯領域５とは左右方向に設置され、つまり、二つの自動洗濯システムも左右方向に設置されている。第１の自動洗濯システム２がドラム式洗濯システムである軸性は水平線とし、第２の自動洗濯システム３がパルセーター式洗濯システムである軸性は垂直線とするので、第１の自動洗濯システム２の軸線と第２の自動洗濯システム３の軸線とが非同一の平面に垂直される。ドラム式とパルセーター式の作動メカニズムや取付方式が異なり、よって、洗い行程において洗い水を収容する洗濯筒の搖動方向と振幅が異なることによって、二つの洗濯筒との間の間隔距離が小さく設置される。ハウジングの受力方向と位置が異なることによって、二つの自動洗濯システムが同時に洗い時に振幅や作用力を直接に重畳することを防ぎ、ハウジングが受ける作用力が分散されることによって、ハウジングの変形を防いだ。
【００７７】
本実施例では、第１の自動洗濯システム２の洗濯容量は第２の自動洗濯システム３の洗濯容量より大きく、つまり、洗濯容量が異なる二つの洗濯システムを有する。小さい衣類や少量の衣類を第２の洗濯システム３で洗濯する。二つの自動洗濯システムの洗濯容量が異なるので、二つの自動洗濯システムが占用した空間は必ず異なり、つまり、第１の洗濯領域４は第２の洗濯領域５より大きい。ハウジング１内の空間をより良く用いるために、ハウジング１内に第１の洗濯領域４と、第２の洗濯領域５にそれぞれ隣接するサブ機能領域６をさらに有する。合理の配置によって、ハウジング１内にサブ機能領域６が設置され、ハウジング１内の空間を効率的に用い、ハウジング１内の空間の利用率を向上する。
【００７８】
説明した実施例では、サブ機能領域６を収納モジュールとして設置してもよく、サブ機能領域６を収納モジュールとして設置し、ユーザが洗濯する時、洗濯液や洗剤を取り入れるのに便利であり、洗濯用品を置くために、洗濯分類機能を有する洗濯機が収納機能を有する。勿論、サブ機能領域６を健康モジュールとして設置してもよく、例えば、殺菌消毒モジュールを設置し、洗濯した衣類に殺菌消毒を行う。また、サブ機能領域６に第３の自動洗濯システムを設置してもよく、第３の自動洗濯システムの洗濯容量は第２の自動洗濯システムの洗濯容量に等しく、または第２の自動洗濯システムの洗濯容量より小さくしてもよく、ユーザがより細かく分類洗濯を行い、例えば、幼児衣類と大人の下着がそれぞれ自動洗濯システムを専用とすることができる。
【００７９】
説明した実施例では、サブ機能領域６は、第２の洗濯領域５と前後に隣接して設置し、第１の洗濯領域４と左右方向に隣接して設置し、つまり、サブ機能領域６は、第１の洗濯領域４と第２の洗濯領域５に半分に囲まれ、またはサブ機能領域６と第２の洗濯領域５との前後長さは、第１の洗濯領域４の前後長さと等しい。具体的には、ハウジング１内の左側は、第１の洗濯領域４であり、右側の後部は第２の洗濯領域５であり、右側の前部はサブ機能領域６である。勿論、第２の洗濯領域５はサブ機能領域６の前後位置と置換してもよく、または第１の洗濯領域４はハウジング内の右側にある。
【００８０】
図３〜図４に示すように、ハウジング１内の左側は第１の洗濯領域４であり、ハウジング１内の右側後部は第２の洗濯領域５であり、ハウジング１内の右側前部はサブ機能領域６であり、サブ機能領域６に収納庫が設置されている。美しい外観を形成するために、サブ機能領域６が円弧状に設置され、つまり、ハウジング１の前右隅部が円弧状である。第１の洗濯領域４の頂部に第１の自動洗濯システム２の衣類投入口を開閉する第１の上部蓋２１が設置され、第２の洗濯領域５の頂部に第２の自動洗濯システム３の衣類投入口を開閉する第２の上部蓋３１が設置され、つまり、ハウジング１の頂部は第１の上部蓋２１と第２の上部蓋３１を有する。ハウジング１の外観的美しさ及び操作の利便性のために、二つの自動洗濯システムの動作表示モジュール７を一体にし、動作表示モジュール７をサブ機能領域６の頂部に設置する。動作表示モジュール７にそれぞれ二つの自動洗濯システムを操作するキーまたはタッチスクリーンのオプションが設置され、動作表示モジュール７はハーネスを介してそれぞれ第１の自動洗濯システム２の作動を制御する第１の制御モジュールと第２の自動洗濯システム３の作動を制御する第２の制御モジュールとが接続されている。動作表示モジュール７をサブ機能領域６の頂部に設置するのは、外観の美しさだけでなく、操作領域を集中させ、操作を便利にし、さらに製造コストを低減する。
【００８１】
洗濯機の外筒が占用した空間が大きいので、二つの自動洗濯システムの洗濯筒の外径とも決定すれば、ハウジング１の大きさもほぼ決定する。ハウジング１内の配置をよりコンパクトさせるために、洗濯分類機能を有する洗濯機の全体を小さくなり、つまり、ハウジング１が小さくなり、且つ第１の洗濯筒と第２の洗濯筒との間の最短距離は一定である。洗濯容量が小さい第２の洗濯筒を後方に移動したによって、サブ機能領域６の容積を増大させ、ハウジング１内の配置をできるだけコンパクトさせ、ハウジング１内の空間を合理的に用いる。
【００８２】
次に、本実施例の洗濯分類機能を有する洗濯機の各部分の構造を具体的に紹介する。当該洗濯分類機能を有する洗濯機の各部分の構造は下記の実施例で限定するものではない。
【００８３】
図４〜図８及び図１に示すように、ハウジング１は第１の自動洗濯システム２と第２自動洗濯システム３を支持する必要があり、ハウジング１は、左側板１１と、右側板１２と、後面板１３と、ドア板１２４と、Ｌ字型シール板１５と、備え、左側板１１の前端は右側へ湾曲し延出して前板１１１が形成され、左側板１１の後端は右側へ湾曲し延出して右後板１１２が形成される。右側板１２の後端は左側へ湾曲し延出して左後板１２１が形成され、右後板１１２と左後板１２１との間に後面板１３が形成され、つまり、後面板１３の右端が右後板１１２に固定され、後面板１３の左端が左後板１２１に固定される。後面板１３は、蓋板と、上部連結板と、下部連結板と、を備える。つまり、左側板１１の前後の両端は、湾曲し延出してそれぞれ前板１１１と右後板１１２が形成され、左側板１１は一つの部品として、ハウジングの前面と、ハウジングの左側面と、ハウジングの一部分の後面と、を構成される。右側板１２は一つの部品として、ハウジングの右側面と、ハウジングの一部分の後面と、を構成される。このような一体的な部品は、組立した部品に対して強度が高く、ハウジング１全体の強度を向上した。そして、ハウジングを構成する部品が少なく、組立て後の誤差が小さく、外観が美しい効果がある。
【００８４】
図８に示すように、Ｌ字型シール板１５は、前板１１１と連結した前後方向の第１の部１５１と、右側板１２と連結した左右方向の第２の部１５２を有する。Ｌ字型シール板１５の第１の部１５１と第２の部１５２を設置することによって、ハウジング１内に二つの大小であり且つ隣接する、第１の自動洗濯システムと第２の自動洗濯システムを収容する洗濯領域が限定され、第１の部１５１と第２の部１５２はそれぞれ第１の自動洗濯システムと第２の自動洗濯システムを支持するのに用いる。このように、ハウジング１の縦方向の支持強度を強化し、ハウジングは第１の自動洗濯システムと第２の自動洗濯システムとを支持する能力を向上し、ハウジングを安定させ、二つの自動洗濯システムを支持する十分な強度と、作動に伴って縦方向と横方向のねじり力に耐える十分な強度とを有する。そして、ハウジング１を異なる領域を区切る。
【００８５】
本実施例では、図５に示すように、Ｌ字型シール板１５と前板との間の連結方式は、係合方式とし、第１の部１５１の前端は右へ湾曲して延出した第１延出部１５１１を有し、第１の延出部１５１１の端部は前方に向かう第１の折り曲げた縁部１５１２を有する。前板１１１の右端は後方に向かう第１の湾曲した縁部１１１１を有し、第１の折り曲げた縁部１５１２は第１の湾曲した縁部１１１１の内側に位置する。つまり、Ｌ字型シール板１５と前板１１１とが第１の延出部に位置する部分は所定の距離を有する二層板であり、第１の折り曲げた縁部１５１２と第１の湾曲した縁部１１１１によって連結した縁部が形成されている。このように、ハウジング１の強度を増大し、連結箇所を美しくする。さらに第１の折り曲げた縁部１５１２と第１の湾曲した縁部１１１１とが堅固に連結することを保証するために、第１の湾曲した縁部１１１１に係合口が設置され、第１の折り曲げた縁部１５１２に耳掛け１５１２１が設置され、耳掛けを係合口に掛けられる。Ｌ字型シール板１５と右側板１２とも同じの結合方式を用いる。
【００８６】
本実施例では、左側板１１と、右側板１２と、後面板１３と、Ｌ字型シール板１５とはすべて鋼板を用い、左側板１１と、右側板１２と、後面板１３と、Ｌ字型シール板１５とは折り曲げによって所定の形状が形成されている。
【００８７】
図４に示すように、ハウジング１の強度を向上し、二つの自動洗濯システムを支持するために、ハウジング１の前板１１１と後面板１３との間に上部中梁１６が設置され、上部中梁１６の前部はＬ字型シール板１５の第１の部１５１の頂部に位置している。上部中梁１６が位置する垂直面はハウジング１が囲む空間を左右の二つの洗濯領域に区切る。第１の自動洗濯システム２が左側に位置し、第２の自動洗濯システム３が右側に位置している。このように、上部中梁１６と底部中梁１４を設置することによって、さらにハウジング１の強度を増大し、ハウジング１内の二つの自動洗濯システムをそれぞれ支持する支持力を強化し、一つの自動洗濯システムが作動する時、ハウジングが受ける作用力は偏向を発生することを防ぐ。また、ハウジング１内を左右の二つの洗濯領域に区切り、それぞれ第１の自動洗濯システム２と第２自動洗濯システム３が配置される。上部中梁１６からハウジング１の左側までの距離と上部中梁１６からハウジング１の右側までの距離との比率は５：３〜２：１である。
【００８８】
本実施例では、上部中梁１６の後端と下部中梁１７との間に支持縦梁１８が設置され、ハウジング１の縦方向の支持を増強させ、ハウジング１の強度を向上する。
【００８９】
図９〜図２０に示すように、第２の自動洗濯システム３の内蓋の設置を説明し、まず第２の洗濯筒中心に近い方向を内側とし、第２の洗濯筒中心から離れた方向を外側とする。第２の自動洗濯システム３の第２の洗濯筒３２は外筒蓋３２１を有し、外筒蓋３２１の頂部に衣類投入に用いる衣類投入口３２１１が設置されている。本実施例では、第２の自動洗濯システム３は加熱機能を有し、洗い行程において加熱する時に水蒸気が外方へ漏れることを防ぎ、及び高速運転時に内筒にある衣類が飛ばされることを防ぐために、外筒蓋３２１に衣類投入口３２１１を摺動可能に開閉する内蓋３３が設置されている。内蓋３３が衣類投入口３２１１を閉鎖する位置を閉鎖位置とし、衣類投入口３２１１を開放する位置を開放位置とすることを定義する。ハウジング１は前記閉鎖位置から前記開放開位置まで水平に摺動するよう内蓋プ３３を収容する収容領域を有する。ハウジング１内に収容領域を設置することによって、外筒蓋３２１に摺動可能な内蓋３３を設置することができ、つまり、プッシュプルだけで内蓋は、上向きに湾曲した内蓋を設置して以下のことを防いだ。即ち、上向きに湾曲した内蓋の内側の補強構造が引き起こす外観の醜さ、上向きに湾曲した内蓋が上部空間を占用する問題、及び衣類を出し入れする時に衣服が上向きに湾曲した内蓋に引っかかる問題などである。図９に示すように、内蓋３３は前後方向に摺動として設置し、内蓋３３は前方へ摺動する時に衣類投入口３２１１を開放し、内蓋３３は収納庫の上方に予め用意した収容領域に摺動し、つまり、収容領域はハウジング１内のサブ機能領域６の上部一部分空間とし、このように、収納庫は収容領域の下方のサブ機能領域６空間内に設置されている。
【００９０】
内蓋３３は一体型の内蓋とし、構造が簡単であり、全体の強度を大きくする。衣類投入口３２１１の左右両側の外筒蓋３２１に２本の相互に平行する押圧片３４が設置され、押圧片３４は前後に設置され、押圧片３４と外筒蓋３２１との間に内蓋３３が摺動する摺動路を形成する。内蓋３３の左右両端は外方へ延出して水平方向の摺動片３３１が形成され、摺動片３３１は摺動路内で前後に摺動して、内蓋３３が衣類投入口３２１１を開放または閉鎖する。図１１〜図１２を参照のこと。
【００９１】
内蓋３３と外筒蓋３２１との間の緊密性をさらに増加するために、押圧片３４と摺動片３３１の構造を設置する。摺動片３３１の縁部は上向きに折り曲げた縁３３１１が設置され、つまり、摺動片３３１は上向きに折り曲げた縁部３３１１を設置した後に横たえたＬ字状構造を形成する。押圧片３４の内側は下向きに湾曲した縁部３４１を有し、つまり、押圧片３４は下向きに湾曲した縁部３４１を設置した後に同じく横たえたＬ字状構造を形成し、そして２個のＬ字状構造は相互に係止して、または上向きに折り曲げた縁部３３１１が下向きに湾曲した縁部３４１より外側に位置する。押圧片３４と摺動片３３１とを相互に係止するよう設置することによって、内蓋３３と押圧片３４との間の結合をさらに緊密させ、内蓋３３が前後に摺動する時の安定性を保証し、同時に内蓋３３が閉鎖位置にある時、第２の洗濯筒３２内の水蒸気は摺動片３３１を介して漏れにくい。さらに第２の自動洗濯システムが加熱する時に水蒸気が内蓋３３と外筒蓋３２１との間のスリットから漏れることを防ぐために、押圧片３４に垂直に下向きのバッフル板３４２が設置され、バッフル板３４２は上向きに折り曲げた縁部３３１１の外側に位置し、つまり、上向きに折り曲げた縁部３３１１は押圧片３４と、バッフル板３４２と、下向きに湾曲した縁部３４１が囲む空間内に位置する。第２の洗濯筒３２における水蒸気は摺動片３３１から漏れ出す時にバッフル板３４２によって遮断され、さらに水蒸気は摺動片３３１と外筒蓋３２１との間のスリットから漏れることを防ぎ、同時に上向きに折り曲げた縁部３３１１は押圧片３４と、バッフル板３４２と、下向きに湾曲した縁部３４１とが囲む空間内のみを前後に移動することができ、摺動の安定性をさらに向上する。図１８〜図１９を参照のこと。
【００９２】
押圧片３４を外筒蓋３２１に取り付ける具体的態様は、例えば直接にネジによって固定するなどの多種形式を用いることができる。本実施例では、外筒蓋３２１に若干の取付柱３２１２を設置することを用いて、押圧片３４上に取付柱３２１２に対応するネジ穴を設置し、ネジによって押圧片３４を取付柱３２１２に固定する。好ましくは、取付柱３２１２の高さはバッフル板３４２の高さに等しく、または少しバッフル板３４２の高さより大きい。押圧片３４の実装後の安定性を高めるために、隣接した取付柱３２１２との間にそれらを連結する連結板を設置し、連結板の高さは位置決め柱３２１２の高さと等しい。押圧片３４を取り付けた後に、押圧片３４の下面は取付柱３２１２の上面と、連結板上面と同時に接触し、よって、連結板が取付柱３２１２を補強する役割を果たしていると同時に、押圧片３４を支持する役割を果たし、押圧片３４を取り付けた後、さらに安定する。
【００９３】
内蓋３３のコストを低下するために、内蓋３３は常にできるだけ薄く設計されなければならないが、同時に内蓋３３の強度を保証する必要があるので、内蓋３３を上に向かってアーチ状の構造に設計することで、内蓋３３の強度を増加させ、縁部から中心に向かってアーチの高さは徐々に増加し、内蓋３３の中心部が外筒蓋３２１から離れた高さは最大である。内蓋３３は外筒蓋３２との間に接触し、緊密性を増加し、第２の洗濯筒３２内の水蒸気の漏れを防ぐ。内蓋３３の周辺から外方へ延出して形成する水平のシール縁部を設置し、つまり、上に向かってアーチ構造の縁部は外方へ延出して水平のシール縁部が形成され、シール縁部はそれと接触する外筒蓋３２１に密着し、内蓋３３が閉鎖位置にある時に外筒蓋３２１と緊密に接触することを保証する。内蓋３３の左右方向のシール縁部は上記に説明した摺動片３３１である。
【００９４】
さらに、第２の洗濯筒３２内の水蒸気の漏れ出しを防ぐために、外筒蓋３２１の後部にストッパーバッフル３２１３が設置され、内蓋３３が閉鎖位置にある時、内蓋３３の後端はストッパーバッフル３２１３と接触する。図１７を参照のこと。
【００９５】
内蓋３３は前後に摺動する時、位置決め構造を設置することによって内蓋３３が投入口を閉鎖する位置に摺動する時に内蓋３３をロックすることを保証する。具体的には、内蓋３３と外筒蓋３２１に相互に嵌合する位置決め構造が設置され、この位置決め構造は位置決め柱と係合溝とする。本実施例では、外筒蓋３２１の前部の上面に位置決め柱３２１４が設置され、内蓋３３の下表に係合溝３３２が設置され、内蓋３３が後方に向かって衣類投入口３２１１を閉鎖する閉鎖位置に摺動する時、内蓋３３上の係合溝３３２はちょうど位置決め柱３２１４に係合し、内蓋３３が再び後方に向かって摺動することができない。そして係合溝３３２は位置決め柱３２１４を係合し、内蓋３３が自ら前に向かって移動することができない。図１５と図２０を参照のこと。
【００９６】
勿論、他の実施例では、外筒蓋３２１に係合溝を設置してもよく、内蓋３３に位置決め柱を設置してもよい。
【００９７】
図１５と図１６に示すように、係合溝３３２は内蓋３３の下面に設置され、内蓋３３の縁部のシール縁部は外筒蓋３２１と接触するので、シール縁部は内に向かって全て上向きのアーチ状とし、よって、外筒蓋３２１上の位置決め柱３２１４は内蓋３３の摺動に影響することはない。係合溝３３２は開口方向に前向きのＣ字状の槽とし、係合溝３３２の一端に内側に湾曲した、弾性を有する掴み具３３２１が設置され、掴み具３３２１は係合溝３３２の一端の下部に連結され、つまり、掴み具３３２１の高さは係合溝３３２の高さより小さい。位置決め柱３２１４が係合溝３３２内に位置する時、掴み具３３２１は位置決め柱３２１４を係合して、位置決め柱３２１４は係合溝３３２を離脱することなく、つまり、内蓋３３が閉鎖位置にある時、係合溝３３２と位置決め柱３２１４とはロックし、内蓋３３は第２の自動洗濯システムが洗い行程において震動、揺れなどによって自ら開放することができないことを保証する。洗濯が完了すると、内蓋３３を手動で前に向かって移動を推進する必要があり、係合溝３３２を位置決め柱３２１４から離脱させ、内蓋３３を開放する。内蓋３３が閉鎖する時、位置決め柱３２１４が係合溝３３２中に進入しやすくするために、掴み具３３２１の端部に外向きに湾曲した縁部が設置され、係合溝３３２の他端は外方へ延出してガイド部３３２２が形成され、内蓋３３が後方に向かって摺動して投入口を閉鎖する時、位置決め柱３２１４は掴み具３３２１の端部の湾曲した縁部とガイド部３３２２との間に位置し、湾曲した縁部とガイド部３３２２とがガイドして、位置決め柱３２１４は係合溝３３２に進入して係合するのに便利である。
【００９８】
内蓋３３の下面の後端にストッパ３３３が設置され、内蓋３３が前方へ摺動して衣類投入口３２１１を開放し、内蓋３３は収容領域に進入し始め、開放位置に到達する時、ストッパ３３３は衣類投入口３２１１の前端に接触して、内蓋３３は再び前方へ摺動することができず、内蓋３３が外筒蓋３２１から離脱することを防ぐ。図２４を参照のこと。
【００９９】
図１４と図１６に示すように、外筒蓋３２１と第２の洗濯筒３２との外径が同じであることによって、内蓋３３が開放過程に、内蓋３３は前方へ移動して収容領域に進入し、この時、内蓋３３の前部は徐々に外筒蓋３２１から離脱し、内蓋３３を支持するために、内蓋３３の水平摺動を保証し、及び内蓋３３と外筒蓋３２１との間の緊密性を保証するために、外筒蓋３２１の前方に受け板３７が設置され、受け板３７の上面と外筒蓋３２１の上面とは同一の水平面内にあり、内蓋３３を開放する時、内蓋３３は外筒蓋３２１から受け板３７に摺動する。本実施例では、受け板３７は燕尾状とし、主に内蓋３３の左右両側の摺動片３３１を支持する。受け板３７を設置することによって、内蓋３３が水平に摺動することを保証し、内蓋３３が開放した時に内蓋３３の前部が宙釣り、垂下することによって、摺動片３３１が変形する問題を引き起こすことを防ぎ、内蓋３３と外筒蓋３２１との間の緊密性を保証した。
【０１００】
図９〜図１１、図１７〜図２０に示すように、第２の自動洗濯システム３の外筒蓋上に設置されたワイパーブレードの構造を説明し、例えば、第２の自動洗濯システム３が洗い行程において加熱機能を起動した場合、水蒸気は上へ蒸発する時に閉鎖した内蓋３３に遭遇して、一部の水蒸気は内蓋３３の下面に凝結して水滴を形成する。洗濯が完了したが内蓋３３上に水滴が掛かり、内蓋が開放した後に上面の水滴がハウジング１に滴下することを防ぐ。外筒蓋３２１の前部にワイパーブレード３５が設置され、ワイパーブレード３５は内蓋の下面に接触し、内蓋３３が開放する時、ワイパーブレード３５は内蓋３３の下面の水滴を掻き落とす。ワイパーブレード３５を設置することによって、洗濯機の安全性を増加し、使用寿命を延長した。内蓋３３の下面は水滴が滴下する外筒を有し、最終的にハウジング１のシャーシに落ち、金属のハウジングにさびをに発生させたり、さらに滴下により電気デバイスの安全上の問題が発生することを防ぐ。
【０１０１】
ワイパーブレード３５は一枚の薄板材とし、ワイパーブレード３５は外筒蓋３２１に設置され、内蓋を上向きのアーチ構造とすることによって、ワイパーブレード３５は一定角度で浮き上がり、ワイパーブレード３５の上部を内蓋３３に接触する。内蓋３３が開放する時、内蓋３３の下面の水滴はワイパーブレード３５に遮り止められる。ワイパーブレード３５を後方に向かって傾斜するように設置し、つまり、蓋体３３の閉鎖方向へ傾斜し、ワイパーブレード３５は外筒蓋３２１が位置する水平面との間に１０度〜９０度を呈する角度を設置し、ワイパーブレード３５の上部が内蓋に接触する位置は衣類投入口３２１１の上方に位置し、このように、掻き落とした水滴を直接に内筒に滴下させ、そして内蓋３３が開放する時の摺動方向はワイパーブレード３５の傾斜方向と相反し、ワイパーブレード３５は内蓋３３にさらに緊密に接触し、内蓋３３の下面の水滴をさらに完全に掻き落とす。図１９と図２０を参照のこと。
【０１０２】
好ましくは、ワイパーブレード３５と外筒蓋３２１が位置する水平面との間に１０度〜３０度を呈する角度を設置し、またはワイパーブレードの本体３５２１と衣類投入口３２１１が位置する水平面との間に１０度〜３０度を呈する角度とし、さらに好ましくは、ワイパーブレードの本体３５２１と外筒蓋３２１が位置する水平面との間に２５度を呈する角度とし、このように、ワイパーブレード３５が浮き上がる角度は小さく、ワイパーブレード３５が内蓋３３上の水滴を掻き落とす時、水滴はワイパーブレード３５に沿って流下しなく、内筒中に直接落下する。
【０１０３】
ワイパーブレード３５と内蓋３３とが緊密に接触するために、ワイパーブレード３５は、例えばコムなどの弾性材料を用いて作られる。ワイパーブレード３５は弾性を有し、ワイパーブレード３５と内蓋３３とが緊密に接触し、内蓋３３上の水滴を更に十分に掻き落とす。勿論、他の実施例では、ワイパーブレードと内蓋とが接触した部位は弾性材料として設置する。
【０１０４】
内蓋３３を開放する過程において、ワイパーブレード３５の上部は内蓋３３と接触し、内蓋３３はワイパーブレード３５に前方に向かう力を与え、よって、ワイパーブレード３５は外筒蓋３２１上に堅固に固定する。ワイパーブレード３５の下端に取付ブロック３５１が設置され、外筒蓋３２１上に取付ブロック３５１と適合する取付溝３２１５が開設され、取付ブロック３５１は取付溝３２１５内に取り付けられる。取付ブロック３５１と取付溝３２１５とは全て正方形とし、取付ブロック３５１は内蓋３３からの前方に向かう方向の力を受ける時、受ける力の面積が大きく、安定性がよい。ワイパーブレード３５を実装した後、堅固な固定を保証した。ワイパーブレード３５と取付ブロック３５１は一体に射出成形され、成形後のワイパーブレード３５は取付ブロック３５１に対して浮き上がり、ワイパーブレード３５と取付ブロック３５１の上面が位置する平面との間は１０度〜３０度の角度を有し、このように、取付ブロック３５１を取付溝３２１５後に取り付けた後、ワイパーブレード３５と外筒蓋３２１が位置する水平面との間の角度は１０度〜３０度とし、ワイパーブレード３５が水を掻き落とす機能を保証した。
【０１０５】
外筒蓋３２１の前部に位置決め柱３２１４を備え、設置された取付溝３２１５は位置決め柱３２１４の後方に位置する。図１８を参照のこと。
【０１０６】
さらにワイパーブレード３５を外筒蓋３２１上に堅固に固定することを保証するために、取付ブロック３５１と取付溝３２１５にそれぞれ適合する固定構造が設置され、固定構造は固定孔と固定柱とする。本実施例では、取付溝３２１５に固定柱３２１５１が設置され、取付ブロック３５１に固定柱３２１５１と適合する固定孔３５１１が開設されている。取付ブロック３５１が取付溝３２１５に取り付けられる時、固定柱３２１５１を固定孔３５１１中に挿入し、取付ブロック３５１を取付溝３２１５に取り付けた後の堅牢性をさらに向上した。勿論、取付ブロック３５１上の固定孔３５１１の高さは取付ブロック３５１の高さより小さく設置され、つまり、固定孔３５１１はめくら穴とし、取付ブロック３５は外筒蓋３２１に取り付けた後、ユーザは固定構造が見えず、外観の美しさを保証した。
【０１０７】
本実施例中の洗濯分類機能を有する洗濯機の防水方法は以下の通りである。即ち、蓋体３３を水平に摺動して解放し、蓋体３３の内面はそれと接触するワイパーブレード部３５２と密着して擦れ違い、蓋体３３の内面上を掛ける水滴はワイパーブレード部３５２に遮り止められ、よって、ワイパーブレード部３５２と接触した蓋体３３の部分には水滴がなくなる。水滴はワイパーブレード部３５２にある程度集まった後に内筒中に滴下できる。このように、蓋体３３の表面の水滴を地面に滴下し、またはハウジングの頂部に滴下してさらに地面に滴下し、ユーザに不便を引き起こすことを防ぐ。
【０１０８】
図２１及び図２２に示すように、第２の自動洗濯システム３上に設置された、内蓋と連動する微動スイッチを説明する。第２の自動洗濯システム３は加熱機能を有し、もし内蓋３３が閉鎖位置に到達しなければ、または洗い行程において内蓋３３が閉鎖位置から離脱すれば、衣類を飛び出させる可能性があり、水蒸気が漏れることによって、ユーザに火傷を負わせ、部品のさびなどの問題を引き起こす。よって、外筒蓋３２１に内蓋３３が制御した微動スイッチ３６が設置されている。内蓋３３が閉鎖位置にある時、微動スイッチ３６がオンとなり、第２の自動洗濯システム３を起動することができる。内蓋３３が開放する時、つまり、内蓋３３は閉鎖位置から離れ、微動スイッチ３６がオフとなる。微動スイッチは第２の自動洗濯システム３の制御電子回路にスイッチ３６に直列される。内蓋３３は閉鎖位置になく、微動スイッチ３６がオフとなり、表示動作モジュールによって第２の自動洗濯システム３を起動する時、第２の自動洗濯システム３を起動することができない。第２の自動洗濯システム３が洗い行程において、内蓋３３が開放し、閉鎖位置から離れて、第２の自動洗濯システム３は直ちに停止する。内蓋３３と連動した微動スイッチ３６を設置することによって、第２の自動洗濯システム３が洗い行程において、内蓋３３が閉鎖位置にあることを保証し、水蒸気が漏れ、衣服が飛び出すことによって、ユーザに火傷を負わせ、部品のさびなどの問題を引き起こすことを防ぐ。
【０１０９】
本実施例では、図２１及び図２２に示すように、微動スイッチ３６を外筒蓋３２１の後部に設置し、微動スイッチ３６の前端面に前方へ突出したスイッチプローブ３６１を設置され、内蓋３３が閉鎖位置にある時、内蓋３３はスイッチプローブ３６１に接触し、微動スイッチ３６をオンにする。内蓋３３の前後に摺動で閉鎖し、または開放することによって、微動スイッチ３６に前方へ突出したスイッチプローブ３６１が設置され、内蓋３３が閉鎖した時、前方へ摺動し、閉鎖位置に到達する時、内蓋３３の後端面はてスイッチプローブ３６１を押し付け、微動スイッチ３６をオンにする。スイッチプローブ３６１を前方へ突出し、内蓋３３上に専用のトリガ構造を設置しないことができ、内蓋３３の先端面でスイッチプローブ３６１をトリガすることができ、微動スイッチ３６をオンにする。連動構成を簡単にし、コストを減らす。
【０１１０】
使用過程において水滴が微動スイッチ３６上に滴下することを防ぐために、微動スイッチ３６をケース３２１６内に配置し、ケース３２１６を外筒蓋３２１上に固定する。スイッチプローブ３６１がケース３２１６を延出するために、ケース３２１６の前壁にスイッチプローブ３６が延出するための貫通孔が設置されている。ケース３２１６を設置することによって、微動スイッチ３６の使用安全を保証し、水滴が微動スイッチ３６に滴下し、使用寿命を低下させることを防ぐ。ケース３２１６は、ケース本体と、上蓋と、を備え、ケース本体は外筒蓋３２１と一体に射出成形されたものである。
【０１１１】
図２２に示すように、微動スイッチ３６をケース３２１６に配置した後、スイッチプローブ３６１が貫通孔から延出し、同時にスイッチプローブ３６１を接触することを防ぐために、スイッチプローブ３６１がケース３２１６の外側に延出しないよう設置し、よって、内蓋３３にスイッチプローブ３６１が適合する接触子３３４を設置し、接触子３３４は後方に向かって内蓋３３に延出する。内蓋３３が閉鎖位置にある時、接触子３３４は後方に向かってスイッチプローブ３６１を押し付けて、微動スイッチ３６をオンにする。
【０１１２】
内蓋３３が閉鎖位置にある密閉性のために、さらに外筒蓋３２１の後部にストッパーバッフル３２１３が設置され、内蓋３３が閉鎖位置にある時、内蓋３３の後端面はストッパーバッフル３２１３と接触する。内蓋３３が閉鎖位置にあるよう配置する時、内蓋３３の先端面はケース３２１６の先端面と接触し、つまり、ケース３２１６の先端面をストッパーバッフル３２１３の一部分として、またはストッパーバッフル３２１３がケース３２１６に切断される。
【０１１３】
以上に説明したのは、本発明の好ましい実施例であり、本発明を他の形式で制限するものではなく、当業者は上記に開示の技術的内容と同等の変化とする等価の実施例を変更または変形することができる。しかし、本発明の技術的解決手段内容から逸脱せず、本発明の実質的技術に基づいて上記の実施例を如何に簡単に修正、同等の変化と変形は、依然として本発明の技術的解決手段の保護範囲に属する。
【図１】
0006773689.tif 000002
【図２】
0006773689.tif 000003
【図３】
0006773689.tif 000004
【図４】
0006773689.tif 000005
【図５】
0006773689.tif 000006
【図６】
0006773689.tif 000007
【図７】
0006773689.tif 000008
【図８】
0006773689.tif 000009
【図９】
0006773689.tif 000010
【図１０】
0006773689.tif 000011
【図１１】
0006773689.tif 000012
【図１２】
0006773689.tif 000013
【図１３】
0006773689.tif 000014
【図１４】
0006773689.tif 000015
【図１５】
0006773689.tif 000016
【図１６】
0006773689.tif 000017
【図１７】
0006773689.tif 000018
【図１８】
0006773689.tif 000019
【図１９】
0006773689.tif 000020
【図２０】
0006773689.tif 000021
【図２１】
0006773689.tif 000022
【図２２】
0006773689.tif 000023